(57)【要約】      （修正有）【課題】水やりが不要の屋内緑化装飾の演出が出来る、広告、看板の要素を兼ね備えた造花装飾交換専用台を提供する。【解決手段】造花の交換専用台に、一定間隔の格子状となっている枠３を設け、前記枠の中へ、再生紙ダンボールを使用した箱１の内部にスチロールを使用し、その箱１の中に造花を入れてデコレーションした装飾物を入れ、水やりのいらない生花と同等のイメージを作る。また、造花交換専用台の格子状となっている枠３へ、透明の板を取り付ける事により、広告や看板、インフォメーションなど様々な使い方ができ、裏面から装飾物が透き通って見えるように造花装飾交換専用台を構成しても良い。【選択図】図３
0003165800.tif 000002
【実用新案登録請求の範囲】
【請求項１】
造花の交換専用台に、一定間隔の格子状となっている枠の中へ、再生紙ダンボールを使用した箱の中に、造花を入れてデコレーションした装飾物を入れ、水やりのいらない生花と同等のイメージを作る事を特徴とする、緑化装飾の交換専用台。
【請求項２】
造花の交換専用台に、一定間隔の格子状となっている枠に、亜鉛メッキ加工した鉄棒を４本使用し、垂直に結束バンドで８箇所固定し、アクリルボードの四隅に鉄棒の先端部分を差込み固定し、広告や看板としての実用性を上げる。結束バンドを使用する事で、箇所の移動や取り外しを容易に行う事を特徴とする広告看板。
【考案の詳細な説明】
【技術分野】
【０００１】  本考案は、屋内空間に対し光触媒加工した造花を使用して、消臭、抗菌効果のある付加価値を付け、従来生花での水やり作業の手間が省け、自由な形で装飾が出来る専用交換台を用いて簡易的に取り換える事の可能な緑化装飾である。造花を使用した事で、従来生花で育たない植物や花のイメージを飾る事ができ、数十種類から数百種類にも及ぶ景観を創る事が出来る。同時に、交換専用台にアクリルボードを取り付け、カッティンシートやちらしなどを貼る事や挟み込む事で、企業や施設、各種店舗などの案内、誘導板、看板などの要素を兼ね備えた広告緑化装飾を可能とした専用台に関するものである。
【背景技術】
【０００２】  従来、生花を使用した景観緑三法が平成１７年６月より施行され、景観の整備、保全など、国民、事業者、行政の責務の明確化の必要性から、地方公共団体に対し、一定の強制力を付与することが必要とされた。施行以降は良好な景観を作り、緑化システムの導入が盛んに実施され、ビルの屋上などに対し緑化する事でヒートアイランド現象を抑え、エアコンによる二酸化炭素の排出を抑えるなどの効果をもたらしている。また、壁面に対して緑化する事により、景観を保ち、緑の溢れる都市空間を築き上げている。屋内空間に対しても、緑化の出来る専用台を用いて、景観を作る事が可能になって来ている。
しかし、生花が枯れる事での景観悪化や、壁面などのヒビ割れから根が入り込んで水漏れの発生や、屋内緑化では給水循環システムの導入で、イニシャルコストやランニングコストの多額の費用が発生し、経営を圧迫している現状である。本考案は造花を使用することで、低コストで景観を作り、生花の効果、空気浄化作用を出す事の出来る物を考え、消臭、抗菌作用のある触媒液をコーティングした。
【先行技術文献】
【０００３】  光触媒加工した造花を再生紙ダンボール鉢に固定し、交換専用台に入れ込み装飾することで水やりを必要とせず、枯れない景観を創る事ができ、広告看板装飾専用台としてアメニティ空間を演出する事を目的とする。
【考案の概要】
【考案が解決しようとする課題】
【０００４】  屋内緑化では従来、空調による温度差や、日当たりなどの影響により枯れる事があり、水やりなどの給水を怠ると変色し景観が悪化する。専門業者に依頼することで手間が省ける分、ランニングコストが上がり経費の負担が大きくなる。
【課題を解決するための手段】
【０００５】  本製品は、造花を使用する事で枯れる事の変色を防ぎ、給水システムを排除する事でコスト削減を実現出来る事を目的としている。日当たりの悪い場所や、空調による被害もなく、専門業者に依頼する事のいらない緑化装飾が出来る。造花にはリン酸チタニア系化合物をコンプレッサーの使用にてスプレーガンで塗布し、強力な酸化力によって消臭、抗菌、汚れ防止の効果のある空間を創る事が出来る造花装飾専用台。
【考案の効果】
【０００６】  本考案を屋内空間にて使用する事で、造花を使用している事から枯れる事での景観の悪化や水やりの手間を省き、またリン酸チタニア系化合物の塗布により消臭、抗菌、汚れ防止効果で快適なアメニティ空間を実現する。
【図面の簡単な説明】
【０００７】
【図１】本考案の交換専用台の枠へアクリルボードを取り付け、その表面にカッティングシートを張り、広告、看板として利用する図面である。
【図２】本考案の広告、看板として利用出来るアクリルボードを２枚使用し、ちらしなどを挟み込み使用している図面である。
【図３】造花を差し込み固定した再生紙ダンボールを、交換専用台の枠に容易に設置することの出来る図面。
【図４】再生紙ダンボールと、その中にスチロールを使用して軽量化している図面。
【考案を実施するための形態】
【０００８】  以下、本考案の実施の形態を説明する。
（イ）    造花を再生紙ダンボールに差し込み固定し、交換専用台の枠の中へ入れ、装飾することで、枯れや水やりのいらない景観を創る事の出来る造花装飾。
（ロ）    造花にリン酸チタニア系化合物をコンプレッサーの使用により、エアーガンで塗布し消臭、抗菌、汚れ防止効果のある空間を創る事が出来る。
（ハ）    造花を使用する事で、空調による温度差や日当たりなどを気にせず設置する事が出来るうえ、植物の種類を数百種、パターン化する事を実現した。
（ニ）    交換専用台に鉄棒を垂直に８箇所結束バンドで取り付け、その先端にアクリルボードの四隅に固定し、広告や看板としての機能を付ける事が出来る。従来の生花では景観のみの使用であるが、より付加価値を付け実用性を上げた。
（ホ）    造花の差し込む鉢を再生紙ダンボールを使用する事により、軽量化を図ることで、収納の便利さや運賃の軽減を実現した。また、軽量化する事で簡単に交換ができ、専門業者を必要としない造花装飾交換専用台である。
【図１】
0003165800.tif 000003
【図２】
0003165800.tif 000004
【図３】
0003165800.tif 000005
【図４】
0003165800.tif 000006
【手続補正書】
【提出日】平成22年8月11日(2010.8.11)
【手続補正１】
【補正対象書類名】実用新案登録請求の範囲
【補正対象項目名】全文
【補正方法】変更
【補正の内容】
【実用新案登録請求の範囲】
【請求項１】
造花の交換専用台に、一定間隔の格子状となっている枠を設け、前記枠の中へ、再生紙ダンボールを使用した箱の中に、造花を入れてデコレーションした装飾物を入れ、水やりのいらない生花と同等のイメージを作る事を特徴とする、緑化装飾の交換専用台。
【請求項２】
造花交換専用台の格子状となっている枠へ、透明の板を取り付ける事により、広告や看板、インフォメーションなど様々な使い方ができ、裏面から装飾物が透き通って見える事を特徴とする。
【手続補正２】
【補正対象書類名】図面
【補正対象項目名】図１
【補正方法】変更
【補正の内容】
【図１】
0003165800.tif 000007
【手続補正３】
【補正対象書類名】図面
【補正対象項目名】図２
【補正方法】変更
【補正の内容】
【図２】
0003165800.tif 000008
【手続補正書】
【提出日】平成22年11月15日(2010.11.15)
【手続補正１】
【補正対象書類名】実用新案登録請求の範囲
【補正対象項目名】全文
【補正方法】変更
【補正の内容】
【実用新案登録請求の範囲】
【請求項１】
造花の交換専用台に、一定間隔の格子状となっている枠を設け、前記枠の中へ、再生紙ダンボールを使用した箱の中に、造花を入れてデコレーションした装飾物を入れることを特徴とする緑化装飾の交換専用台。
【請求項２】
前記格子状となっている枠へ、透明の板が取り付けられ、裏面から装飾物が透き通って見えることを特徴とする請求項１記載の緑化装飾の交換専用台。
【手続補正３】
【補正対象書類名】明細書
【補正対象項目名】０００５
【補正方法】変更
【補正の内容】
【０００５】  本考案請求項１に記載の考案は、造花の交換専用台に、一定間隔の格子状となっている枠を設け、前記枠の中へ、再生紙ダンボールを使用した箱の中に、造花を入れてデコレーションした装飾物を入れることを特徴とする緑化装飾の交換専用台を提供する。
本考案請求項２に記載の考案は、前記格子状となっている枠へ、透明の板が取り付けられ、裏面から装飾物が透き通って見えることを特徴とする請求項１記載の緑化装飾の交換専用台を提供する。
本製品は、造花を使用することで枯れることでの変色を防ぎ、給水システムを排除することでコスト削減を実現できることを目的としている。日当たりの悪い場所や、空調による被害もなく、専門業者に依頼することのいらない緑化装飾が出来る。造花にはリン酸チタニア系化合物をコンプレッサーの使用にて、スプレーガンで塗布し、強力な酸化力によって消臭、抗菌、汚れ防止の効果のあるものを使用するのが好適である。